(57)【特許請求の範囲】
【請求項１】
ａ．リフォームに用いられる温水パネルは、温水パイプがＵターンする上下の配管部分にのみパネル板がそれぞれ取り付けてあり、このＵターンする部分に取り付けられた上下のパネル板間を結ぶ温水パイプの直管部は露出したままの構成であること、
ｂ．前記温水パネルを用いてリフォームをする際は、先ず前記上下のＵターンする配管部分に取付けられたパネル板の位置に合わせて既存のフローリング床上に墨出しを行う、
ｃ．次に、前記墨出しに合わせて上下のパネル板が位置する既存のフローリング床を下地のところまでカットしてパネル板落し込み穴を形成する、
ｄ．次に、前記上下のパネル板落し込み穴間であって、温水パイプの直管部が位置するフローリング床部分を直線的にくり抜いて温水パイプ収容溝を形成する、
ｅ．次に、前記温水パネルの上下のパネル板を前記上下のパネル板落し込み穴内に落し込むと共に前記温水パイプ収容溝内に温水パイプの直管部を落し込んで温水パネルを既存のフローリング床において面一に敷設する、
ｆ．次に、前記温水パネルを敷設した上及びこの周囲に露出している既存のフローリング床の上に新規にフローリング床を施工する、
ｇ．ことを特徴とする既存のフローリング床を温水暖房付のフローリング床にリフォームする方法。
【請求項２】
前記温水パイプ収容溝内にアルミニュウム箔製のテープを断面Ｕ字状に形成した保護カバーを落し込み、その上で温水パイプの直管部を保護カバー内に落し込むことを特徴とする請求項１に記載の既存のフローリング床を温水暖房付のフローリング床にリフォームする方法。
【請求項３】
前記温水パネルの直管部にはあらかじめ直管部の裏側を半周し、両サイドに温水パイプ収容溝の両縁にかかる縁を形成したアルミニュウム箔製の保護カバーが取り付けられていると共にこの保護カバーを取り付けた上には温水パイプの直管部を覆って温水パイプの直管部を密封するアルミニュウム箔製のカバーテープが貼り付けられた構成の温水パネルが用いられることを特徴とする請求項１に記載の既存のフローリング床を温水暖房付のフローリング床にリフォームする方法。
【請求項４】
前記温水パネルを敷設したのち、温水パイプの直管部の上面に沿って温水パイプを覆うようにカバーテープ又は温水パネルの上面全体を覆うようにアルミニュウム箔製の均熱シートを貼り付け、その上で新規にフローリング床を施工することを特徴とする請求項１又は２に記載の既存のフローリング床を温水暖房付のフローリング床にリフォームする方法。
【請求項５】
前記新規に施工するフローリング床に替えてカーペット又は床パネル又は畳仕上げ床にリフォームすることを特徴とする請求項１に記載の既存のフローリング床を温水暖房付のフローリング床にリフォームする方法。
【請求項６】
請求項１に記載のリフォーム方法に用いられる温水パネルであって、この温水パネルは、上下において温水パイプがＵターンする上下の配管部分にのみパネル板がそれぞれ取り付けてあり、この上下のパネル板間を結ぶ温水パイプの直管部は露出したままの構成であることを特徴とするリフォームに用いられる床暖房用温水パネル。
【請求項７】
前記温水パイプの直管部には、あらかじめ直管部の裏側に密着して半周し、この半周した両サイドに水平方向に向けた縁が形成されたアルミニュウム箔製の保護カバーが取り付けられていることを特徴とする請求項６に記載のリフォームに用いられる床暖房用温水パネル。
【請求項８】
前記温水パイプの直管部には、あらかじめ直管部の裏側に密着して半周し、この半周した両サイドに水平方向に向けた縁が形成されたアルミニュウム箔製の保護カバーが取り付けられていると共にこの保護カバーを取り付けた上には温水パイプの直管部を覆って温水パイプの直管部を密封するアルミニュウム箔製のカバーテープが取り付けられていることを特徴とする請求項６に記載のリフォームに用いられる床暖房用温水パネル。
【発明の詳細な説明】
【技術分野】
【０００１】
本発明は、既存のフローリング床を温水暖房付のフローリング床あるいはカーペット床、タイル床、畳床等にリフォームする方法と、このリフォームに用いられる温水パネルに関するものである。
【背景技術】
【０００２】
高齢化等の影響もあって、既存のフローリング床を温水暖房付の床にリフォームしたいとする要望が多い。
【０００３】
このような要望に応える方法として、従来の場合では、既存の床材全体を剥がしとって下地又はスラブを露出させ、この上に温水パネルを敷設し、更にこの温水パネルの上にフローリング床等を施工している。
【０００４】
しかし、この方法は、経費が嵩むと共に旧い木製の下地等の場合には強度的にそのまま利用できないことも多いことから、併せて下地までも新規にリフォームする必要があり、更に経費が嵩む。
【０００５】
また、木製の下地の場合には、建物の躯体側にも手を掛けるようになるため、大工工事が間に入り、経費が嵩むばかりでなく、工期が更に長くなるという問題もある。
【０００６】
また、既存の部屋の場合、動かせない家具があったり、水廻りがあると、リフォーム自体をあきらめざるを得ないということもある。
【０００７】
現在、床暖房付でない既存の部屋を床暖房付の部屋にリフォームする方法として、次の方法が公知である。
【０００８】
特許文献１（特開２０１０−２２２８７３号公報）
【０００９】
このリフォーム方法は、既存の床を温水パネルの大きさに合わせて下地のところまでくり抜いて剥がしとり、ここに温水パネルを敷き込み、この温水パネルを含めた床全体に床材を施工する内容である。
【００１０】
しかし、この方法の場合、リフォーム後の床面が新規の床材の厚み分嵩高となるため、出入口が引き戸式の場合は問題ないが、内側に開くドアー式の場合にはこのドアーが床面に当って開閉できなくなることがある。
【００１１】
勿論特別に薄い床材を施工する方法もあるが、このようにすると床強度が弱くなる。
【先行技術文献】
【特許文献】
【００１２】
【特許文献１】特開２０１０−２２２８７３号公報
【発明の概要】
【発明が解決しようとする課題】
【００１３】
本発明の目的は、既存のフローリング床を温水暖房付のフローリング床等に安い経費と短い期間でリフォームすることができると共にリフォームできる部屋の適用範囲を広げ、かつ床面が嵩高になるのを極力防ぐことにより、既存の内開きドアーの部屋にも適用でき、然も床強度を十分に確保することができるリフォーム方法とこのリフォーム方法に用いられる温水パネルを提供することである。
【課題を解決するための手段】
【００１４】
上記目的を達成するため、請求項１に記載のリフォーム方法は、ａ．リフォームに用いられる温水パネルは、温水パイプがＵターンする上下の配管部分にのみパネル板がそれぞれ取り付けてあり、このＵターンする部分に取り付けられた上下のパネル板間を結ぶ温水パイプの直管部は露出したままの構成であること、ｂ．前記温水パネルを用いてリフォームをする際は、先ず前記上下のＵターンする配管部分に取付けられたパネル板の位置に合わせて既存のフローリング床上に墨出しを行う、ｃ．次に、前記墨出しに合わせて上下のパネル板が位置する既存のフローリング床を下地のところまでカットしてパネル板落し込み穴を形成する、ｄ．次に、前記上下のパネル板落し込み穴間であって、温水パイプの直管部が位置するフローリング床部分を直線的にくり抜いて温水パイプ収容溝を形成する、ｅ．次に、前記温水パネルの上下のパネル板を前記上下のパネル板落し込み穴内に落し込むと共に前記温水パイプ収容溝内に温水パイプの直管部を落し込んで温水パネルを既存のフローリング床において面一に敷設する、ｆ．次に、前記温水パネルを敷設した上及びこの周囲に露出している既存のフローリング床の上に新規にフローリング床を施工することを特徴とするものである。
【００１５】
この発明によると、既存のフローリング床を温水暖房付に安い経費と短い工期でリフォームすることができる。
【００１６】
次に、請求項２に記載の発明は、請求項１に記載のリフォーム方法において、温水パイプ収容溝内にアルミニュウム箔製のテープを断面Ｕ字状に形成した保護カバーを落し込み、その上で温水パイプの直管部を保護カバー内に落し込むことを特徴とするものである。
【００１７】
このようにすることで、温水パイプの熱を効率的にフローリング床側に伝えることができると共に温水パイプを収容溝内に落し込む際に温水パイプに傷をつける心配がない。
【００１８】
次に、請求項３に記載の発明は、請求項１に記載のリフォーム方法において、前記温水パネルの直管部にはあらかじめ直管部の裏側を半周し、両サイドに温水パイプ収容溝の両縁にかかる縁を形成したアルミニュウム箔製の保護カバーを取り付け、更にこの保護カバーの上に温水パイプの直管部を密封するアルミニュウム箔製のカバーテープを貼り付けた温水パネルを用いることを特徴とするものである。
【００１９】
この発明によると、現場において保護カバー及びカバーテープを取り付ける手間が省ける。
【００２０】
次に、請求項４に記載の発明は、請求項１又は２に記載のリフォーム方法において、前記温水パネルを敷設したのち、温水パイプの直管部の上面に沿って温水パイプを覆うようにカバーテープ又は温水パネルの上面全体を覆うようにアルミニュウム箔製の均熱シートを貼り付け、その上で新規にフローリング床を施工することを特徴とするものである。
【００２１】
この発明によると、床全体における熱分布を均一化できる。
【００２２】
次に、請求項５に記載の発明は、請求項１に記載のリフォーム方法において、前記新規に施工するフローリング床に替えてカーペット又は床パネル又は畳仕上げ床にリフォームすることを特徴とするものである。
【００２３】
次に、請求項６に記載の発明は、リフォームに用いられる温水パネルであって、この温水パネルは、上下において温水パイプがＵターンする上下の配管部分にのみパネル板がそれぞれ取り付けてあり、この上下のパネル板間を結ぶ温水パイプの直管部は露出したままの構成であることを特徴とするものである。
【００２４】
次に、請求項７に記載の発明は、請求項６に記載の温水パネルにおいて、前記温水パイプの直管部には、あらかじめ直管部の裏側に密着して半周し、この半周した両サイドに水平方向に向けた縁が形成されたアルミニュウム箔製の保護カバーが取り付けられていることを特徴とするものである。
【００２５】
次に、請求項８に記載の発明は、請求項６に記載の温水パネルにおいて、前記温水パイプの直管部には、あらかじめ直管部の裏側に密着して半周し、この半周した両サイドに水平方向に向けた縁が形成されたアルミニュウム箔製の保護カバーが取り付けられていると共にこの保護カバーを取り付けた上には温水パイプの直管部を密封するアルミニュウム箔製のカバーテープが取り付けられていることを特徴とするものである。
【発明の効果】
【００２６】
本発明の効果は次のとおりである。
【００２７】
１．既存のフローリング床についてはこれを撤去せず、温水パネルのパネル板及び温水パ
イプの直管部が位置する部分のみをカットし、あとはこのカットした既存のフローリン  グ床に温水パネルをセットし、その上に新規のフローリング床材等を施工するだけのた  め、施工経費と工期を大幅に削減することができる。
【００２８】
２．既存のフローリング床上に移動が困難な家具とか水廻り等の障害物が存在した場合に  は、この部分の既存のフローリング床は避けてそのまま残し、施工可能な部分だけを床  暖房付にリフォームすることができる。
【００２９】
３．既存のフローリング床の上に新規にフローリング床材等を施工するため、床面は少し  嵩高となるが、床強度は既存のフローリング床で保つため、新規のフローリング床材等  はできるだけ薄いものを利用することで、床面が嵩高となるのを最小限に抑え、既存の  
内開きドアーの開閉等に支障がないようにできる。
【００３０】
４．既存のフローリング床に形成した温水パイプ収容溝が大きすぎたりすると収容したパ  イプとの間に隙間が発生し、伝熱率が低下してしまうが、温水パイプの直管部に保護カ  バーとカバーテープを密着した状態で取り付けておくことにより、この保護カバーとカ  バーテープの伝熱作用により仮に前記のような隙間が発生していても、新規のフローリ  ング床等に対する伝熱率が低下することはない。
【００３１】
５．温水パイプの直管部に取り付けた保護カバーにより、既存のフローリング床をくり抜  いて加工した際に発生したバリにより温水パイプに傷がつくのを防止できると共にくり  抜いた溝の寸法が少し大きい場合でも保護カバーで隙間の発生を防止することができ    る。
【００３２】
６．温水パイプの直管部にあらかじめ保護カバーとカバーテープを取り付けておくことに  より、現場で保護カバー及びカバーテープを取り付ける手間がなくなる。
【００３３】
７．温水パイプの直管部に保護カバーとカバーテープを取り付けて直管部を密封しておく  ことにより、熱ロスが少なく、省エネタイプの温水パネルを提供できる。
【００３４】
８．温水パネルは、上下のＵターン部分にパネル板を取り付けただけのため、全面がパネ  ルの従来のものに比較して製造コストが安くなると共に軽量化ができ、更に温水パイプ  の直管部の柔軟性を利用して小型に折り畳むことができる。
【図面の簡単な説明】
【００３５】
【図１】本発明に係るリフォーム用温水パネルの平面図。
【図２】本発明に係るリフォーム用温水パネルの一部切欠側面図。
【図３】（Ａ）は本発明に係るリフォーム用温水パネルにおいて、上部パネル板部分の断面図、（Ｂ）は下部パネル部分の断面図。
【図４】（Ａ）（Ｂ）温水パイプの直管部に取り付けた保護カバーとカバーテープを取り付けた状態の説明図。
【図５】（Ａ）〜（Ｆ）はリフォーム工程の説明図，（Ａ’）〜（Ｄ’）及び（Ｆ’）は各リフォーム工程における現場の状況を斜視したときの説明図。
【図６】実施例３の説明図。
【発明を実施するための形態】
【００３６】
本発明は、既存のフローリング床を温水式床暖房装置を取り付けたフローリング床等にリフォームするための方法とこのリフォームに用いられる温水パネルを提供するものである。
【００３７】
但し、本発明において、リフォーム後の床は、フローリング床を原則とするが、その他の床材として、例えばすでに施工実績のあるカーペット、タイル、畳仕上げとすることもできる。
【実施例１】
【００３８】
本実施例１は、リフォームに用いられる温水パネルに関するもので、この温水パネル１は、図１〜３に示すように、温水パイプ２のＵターン部分２ｂのみに上部パネル板３と下部パネル板４が取り付けてあり、この上下のパネル板３と４間における温水パイプ２の直管部２ａには図４（Ａ）（Ｂ）に示すように、直管部２ａの裏側に密着して半周し、両サイドに縁６を形成したアルミニュウム箔製の保護カバー５と、直管部２ａを上から密封するアルミニュウム箔製のカバーテープ７が貼り付けてある。
【００３９】
但し、上記保護カバー５及びカバーテープ７が取り付けられていない温水パネル１の場合には、施工現場においてあとからこの保護カバー５及びカバーテープ７を取り付ける。
【００４０】
なお、カバーテープ７は、温水パネル１の上面全体を覆う１枚のアルミニュウム箔製の均熱シートに換えてもよい。
【００４１】
図中符号の８は前記温水パイプ２内に熱源機から送られて来た温水を分配するためのヘッダーである。
【実施例２】
【００４２】
上記温水パネル１を用いて行うリフォーム方法を図５に基づいて次に説明する。
【００４３】
ａ．先ず、図５（Ａ）（Ａ’）に示すように、既存のフローリング床１０の表面に上記し  た図１の温水パネル１に合わせて墨出し１１を行う。
【００４４】
ｂ．次に、図５（Ｂ）（Ｂ’）に示すように、上下のパネル板３と４が位置する部分を    カッター等を用いて下地１２のところまでカットを行い、ここに上下のパネル板３、４  の落し込み穴１３、１４を形成する。
【００４５】
ｃ．次に、図５（Ｃ）（Ｃ’）に示すように、温水パイプ２の直管部２ａが位置する上下  の落し込み穴１３、１４間に、電動工具等を使用して断面をＵ字又はコ字状にくり抜く  ことにより、温水パイプ２の直管部２ａを収容する収容溝１５を形成する。
【００４６】
ｄ．次に、図５（Ｄ）（Ｄ’）に示すように、落し込み穴１３、１４内に上下のパネル板  ３と４をそれぞれ落し込み、更に、温水パイプ２の直管部２ａを収容溝１５に落し込ん  で温水パネル１を既存のフローリング床１０にセットする。このとき、保護カバー５の  縁６及びカバーテープ７の両サイドは収容溝１５の縁に沿って掛っている。
【００４７】
ｅ．次に、図５（Ｅ）に示すように、温水パネル１上及び残した既存のフローリング床    １０上に新規のフローリング床材１６を施工する。このとき、フローリング床材１６    は、接着剤又は両面接着テープを用いて固定する方法が施工上は簡単であるが、可能な  場合には釘を打ちつけて固定するようにしても良い。
【００４８】
なお、フローリング床材１６は、許容される場合には、標準厚のものを使用し、内開きドアーの障害となる場合には、薄形に形成されたフローリング床材を使用する。
【００４９】
ｆ．図５（Ｆ）（Ｆ’）は、リフォーム終了後のフローリング床を示すものである。
【００５０】
以上はフローリング仕上げの例であるが、カーペット又はタイル又は畳仕上げの場合  は、前記Ｅのところでフローリング床材１６に替えてカーペット又はタイル又は畳を施工する。
【実施例３】
【００５１】
図６の（Ａ）は、温水パネル１の直管部２ａを露出させたままの温水パネル１において、既存のフローリング床１０に温水パイプ収容溝１５を形成し、現場においてこの収容溝１５にＵ字状に加工した保護カバー５を落し込み、その上で温水パイプ２の直管部２ａを保護カバー５内に落し込み、次にこの直管部２ａに沿ってカバーテープ７を貼り付ける施工例、（Ｂ）はカバーテープ７に替えて温水パネル１の上面全体にアルミニュウム箔製の均熱シート１７を貼り付ける例である。
【符号の説明】
【００５２】
１  温水パネル
２  温水パイプ
２ａ  直管部
２ｂ  Ｕターン部分
３  上部パネル板
４  下部パネル板
５  保護カバー
６  縁
７  カバーテープ
８  ヘッダー
１０  既存のフローリング床
１１  墨出し
１２  下地
１３  上部パネル板落し込み穴
１４  下部パネル板落し込み穴
１５  温水パイプ収容溝
１６  新規のフローリング床材
１７  均熱シート
【図１】
0005822300.tif 000002
【図２】
0005822300.tif 000003
【図３】
0005822300.tif 000004
【図４】
0005822300.tif 000005
【図５】
0005822300.tif 000006
【図６】
0005822300.tif 000007